(57)【要約】【課題】１つの光学位相補正素子で複数種の収差補正をそれぞれ、または同時に補正することを可能とするとともに、回折散乱光の影響を極力抑えた光学位相補正素子、およびそれを搭載した光ヘッド装置を提供すること。【解決手段】内側に透明電極を有する透明性の第１の基台と第２の基台とで液晶層を挟持してなる光学位相補正素子において、少なくとも一方の透明電極が、異なる収差補正パターンが積層配置された多層電極構造により構成され、複数種の収差補正を、個別に、または同時に補正することが出来るようにとした。【選択図】図１
2005275185.tif 000002
【特許請求の範囲】
【請求項１】
内側に透明電極を有する透明性の第１の基台と第２の基台とで液晶層を挟持してなる光学位相補正素子において、
前記少なくとも一方の透明電極が、異なる収差補正パターンが積層配置された多層電極構造により構成され、
複数種の収差補正を、個別に、または同時に補正することができるようにしたことを特徴とする光学位相補正素子。
【請求項２】
前記多層電極構造は、前記第１と第２の基台の両方に形成されており、かつ前記各多層電極構造に含まれる収差補正パターンは、ぞれぞれ異なるパターンであることを特徴とする請求項１に記載の光学位相補正素子。
【請求項３】
前記多層電極構造は、低抵抗の透明導電膜で形成された収差補正パターンと、高抵抗の透明導電膜で形成された全面ベタ電極と、中抵抗の透明導電膜で形成された収差補正パターンとが、順に基台上に形成された膜構成を有することを特徴とする請求項１または２に記載の光学位相補正素子。
【請求項４】
光を出射する光源と、
前記光源から出射される光を集光し光ディスクの記録面に光を集光させる対物レンズと、
前記光源と前記対物レンズとの間に配した請求項１から３のいずれか一項に記載の光学位相補正素子と、
その光学位相補正素子を制御する制御装置とを備え、
前記光学位相補正素子により複数の収差補正をそれぞれ、または同時に補正することができるようにしたことを特徴とする光ヘッド装置。
【請求項５】
前記制御装置は、前記多層構造を構成する少なくとも２つの前記収差補正パターンを時分割駆動し、この時分割の繰り返し時間を前記液晶層の応答時間よりも短くして駆動してなることを特徴とする請求項４に記載の光ヘッド装置。
【発明の詳細な説明】
【技術分野】
【０００１】
本発明は、透明性の第１の基台と第２の基台とで液晶層を挟持してなる光学位相補正素子およびそれを搭載した光ヘッド装置に関する。
【背景技術】
【０００２】
ＣＤあるいはＤＶＤ等の光ディスクや、光磁気ディスク等のディスクの情報を読み取ったり、書き込んだりするのに光ヘッド装置が用いられている。この光ヘッド装置（主に光ピックアップ装置）は、レーザー光源から出射されたレーザー光をディスクに照射して、ディスク表面のトラックに記録された情報を読み取ったり、またはトラックに情報を書きこんだりすることができる装置である。
【０００３】
そして、この光ヘッド装置には、例えばディスクのタンジェンシャル方向（ディスクの半径と直交する方向）の傾き、またはディスクのラジアル方向（ディスクの半径方向）傾きにより発生するコマ収差を行うために、液晶層の屈折率を変えて制御する光学位相補正素子（液晶光学素子）が用いられる。この光学位相補正素子は、素子に形成される収差補正パターン上の液晶に所定の電圧を印加して、この光学位相補正素子に入射するレーザー光の位相を局所的に進ませたり、遅らせたりすることで、このレーザー光の波面収差を補正する。これを光ヘッド装置に搭載することで、正確にディスク情報を読み取ったり、またはディスクへ情報の書き込みを正確に行うことができるようになる（例えば、特許文献１参照）。
【０００４】
まず、前述した機能を有する光学位相補正素子を搭載した、従来の光ヘッド装置の構成および機能について説明する。図９は、従来の光ヘッド装置を説明するための模式図である。
図９において、レーザー光源１０１から出射したレーザー光は、コリメートレンズ１０２によってＰ偏光の平行光とされ、偏光ビームスプリッタ１０３と光学位相補正素子１１０ａを通過する。この光学位相補正素子１１０ａにより入射する平行光のコマ収差または球面収差を含む波面収差を補正した後、位相差板１０４（λ／４波長板）により円偏光に変換され、対物レンズ１０５によりディスク１０６にビームを照射する。
【０００５】
さらに、ディスク１０６から反射されたレーザー光は、対物レンズ１０５を透過し、位相差板１０４にてＳ偏光に変換された後、光学位相補正素子１１０ａを通過し、偏光ビームスプリッタ１０３にて光路を変えて集光レンズ１０７を通過して受光器１０８にディスク１０６から反射されたレーザー光を集める。そのデータを基に、ディスク１０６に記録された情報等を読み取ったり、ディスク面に情報等の書き込みをすることができるようになる。
【０００６】
次に前述した光ヘッド装置に使用する光学位相補正素子１１０ａについて下記に説明をする。図１０は、この光学位相補正素子１１０ａの構成を説明するための展開図面である。
図１０に示すように、この光学位相補正素子１１０ａは、ともに異なる収差補正パターンが形成された第１の透明電極２、第２の透明電極１２と、図示しない配向膜とが形成された２枚の第１、第２の基台１，９を、図示しないシールを介して間隙をもって貼り合わされ、その間隙に液晶層６が挟持されて製造される。
【０００７】
この収差補正用の第１の透明電極２は、一例としてタンジェンシャル方向のディスクの傾きにより発生するコマ収差を補正するためのパターンが形成されており、第２の透明電
極１２には、ラジアル方向のディスクの傾きにより発生するコマ収差を補正するためのパターンが形成されている。これらパターンにより、タンジェンシャル方向、ラジアル方向のディスクの傾きにより発生する波面収差をともに補正することが可能となる。なお、この光学位相補正素子１１０ａは、上述したタンジェンシャル方向と、ラジアル方向のディスク１０６の傾きに起因するコマ収差の補正だけでなく、ディスクの厚み方向に起因する球面収差、装置に搭載する複数の光学部品形状等に起因する非点収差等の波面収差補正から選ばれる２つの収差補正を個別に、または同時に行うことができる素子である。
【０００８】
【特許文献１】特開２００１−２９７４６９号公報（第３−５頁、第１−２図）
【発明の開示】
【発明が解決しようとする課題】
【０００９】
しかしながら、従来の光学位相補正素子１１０ａは、上述したコマ収差、球面収差、非点収差等の収差補正から選ばれる２つの収差補正を行うことは可能であるが、それ以上の種類（３種以上）の収差補正を行うためには、上述した光学位相補正素子１１０ａを２つ以上光ヘッド装置に搭載しなくてはならなかった。この２つ以上の光学位相補正素子１１０ａを配置すると、光ヘッド装置に搭載する部品点数がそれだけ増加してしまう。また、この２つ以上の光学位相補正素子１１０ａを配置するスペースを装置内に確保しなくてはならないので、光ヘッド装置の小型化を阻害する。
【００１０】
また、従来の光学位相補正素子１１０ａにおける第１の透明電極２を単独で駆動させたときに、この第１の透明電極２を構成する各電極間の隙間では、レーザー光のロスや回折の影響が起こることがある。その現象について以下に説明をする。
【００１１】
図１１は、従来の光学位相補正素子１１０ａに配設されている第１の透明電極２を構成する各電極間のスペース部におけるレーザー光の回折による散乱現象を説明するための図面である。
【００１２】
図１１に示す様に、第１の基台１を通過して、電極１２２〜１２３間であるスペース部をレーザー光１３０が通過する際、電極１２２または電極１２３のパターン端部において、電極パターンが存在する箇所と存在しない箇所の屈折率が異なるために、回折による散乱が起こってしまう。この回折散乱光１３１はＤＶＤ等のディスク１０６を照射するレーザー光と干渉してノイズ光となり、実効透過率強度の低下を引き起こす。また、ＤＶＤ−Ｒシステムへの書き込み時、または読み込み時にこのノイズ光により、書き込みまたは読み込みエラーとなってしまう場合がある。
【００１３】
そこで、本発明の目的は上記課題を解決し、１つの光学位相補正素子で複数種の収差補正をそれぞれ、または同時に補正することを可能とするとともに、回折散乱光の影響を極力抑えた光学位相補正素子、およびそれを搭載した光ヘッド装置を提供することである。
【課題を解決するための手段】
【００１４】
本発明の光学位相補正素子および光ヘッド装置は、基本的に下記に記載の構成を採用するものである。
本発明の光学位相補正素子は、内側に透明電極を有する透明性の第１の基台と第２の基台とで液晶層を挟持してなる光学位相補正素子において、少なくとも一方の透明電極が、異なる収差補正パターンが積層配置された多層電極構造により構成され、複数種の収差補正を、個別に、または同時に補正することができるようにしたことを特徴とする。
【００１５】
また、本発明の光学位相補正素子は、前述した多層電極構造が第１と第２の基台の両方に形成され、かつ各多層電極構造に含まれる収差補正パターンが、ぞれぞれ異なるパター
ンであることを特徴とする。
【００１６】
また、本発明の光学位相補正素子は、前述した多層電極構造が、低抵抗の透明導電膜で形成された収差補正パターンと、高抵抗の透明導電膜で形成された全面ベタ電極と、中抵抗の透明導電膜とで形成された収差補正パターンが、順に基台上に形成された膜構成を有することを特徴とする。
【００１７】
本発明の光ヘッド装置は、光を出射する光源と、光源から出射される光を集光し光ディスクの記録面に光を集光させる対物レンズと、光源と、対物レンズとの間に配した前述した光学位相補正素子と、その光学位相補正素子を制御する制御装置とを備え、光学位相補正素子により複数の収差補正をそれぞれ、または同時に補正することができるようにしたことを特徴とする。
【００１８】
また、本発明の光ヘッド装置は、前述した制御装置が、多層構造を構成する少なくとも２つの収差補正パターンを時分割駆動しこの時分割の繰り返し時間を液晶層の応答時間よりも短くして駆動してなることを特徴とする。
【発明の効果】
【００１９】
上述した光学位相補正素子を採用することで、１つの光学位相補正素子により、例えばコマ収差、球面収差、非点収差等の収差補正から選ばれる２つ以上の収差補正を同時、または別個に行うことができる素子を容易に構成することができる。この形態は、特に３種以上の波面収差の補正を同時に行う際に有効な構成である。
【００２０】
また、本発明の光学位相補正素子を採用すれば、この素子の透明電極を構成する、分割された各電極のパターンの隙間における回折散乱光による問題は解消される。したがって、ＤＶＤ等のディスクを照射するレーザー光と干渉して発生するノイズ光や、実効透過率強度の低下等の問題が解消され、ディスクへの書きこみ、または読み込みエラーを極力抑えることができる。
【００２１】
さらに、多種の収差補正を１つの光学位相補正素子で対応できるので、光学位相補正素子を搭載した光ヘッド装置が大型化することはない。
【発明を実施するための最良の形態】
【００２２】
本発明の光学位相補正素子は、内側に透明電極を有する透明性の第１の基台と第２の基台とで液晶層を挟持してなる光学位相補正素子において、少なくとも一方の透明電極が、異なる収差補正パターンが積層配置された多層電極構造により構成され、複数種の収差補正を、個別に、または同時に補正することができるようにした構成を採用するものである。
【００２３】
また、本発明の光ヘッド装置は、光を出射する光源と、光源から出射される光を集光し光ディスクの記録面に光を集光させる対物レンズと、光源と、対物レンズとの間に配した前述した光学位相補正素子と、その光学位相補正素子を制御する制御装置とを備え、光学位相補正素子により複数の収差補正をそれぞれ、または同時に補正することができるようにした構成を採用するものである。
【００２４】
まず、本発明に係る光学位相補正素子の構成および作用について下記に示す。なお、以下の実施例においては、説明を簡略とするために、上述した多層電極構造が、異なる波面収差補正を補正するための収差補正パターンを２面有する構成例を示すが、各実施例で３面以上の異なる収差補正パターンを有する構成であっても同様に構成することができることに留意されたい。
【実施例１】
【００２５】
本発明の光学位相補正素子１１０ｂの構成について説明をする。図１に本発明の光学位相補正素子１１０ｂの構成例を示す。本実施例で示す光学位相補正素子１１０ｂは、第１の基台１側に２面の光学補正パターンを設けて実現した例を示している。
【００２６】
本実施例の光学位相補正素子１１０ｂは、第１の基台１と第２の基台９を、スペーサを含んだ図示しないシールを介して形成された間隙に、液晶層６を挟持している。そして、この第１の基台１上には、１つ目の収差補正パターンが形成された第１の透明電極２、全面ベタパターンで形成された高抵抗膜３、２つ目の収差補正パターンが形成された第２の透明電極４からなる多層電極構造１０ａと、その上層に図示しない配向膜が順に形成されている。また、第２の基台９には、全面透明ベタパターンの対向電極８と、図示しない配向膜が形成されている。
【００２７】
なお、これら第１、第２の透明電極２，４と高抵抗膜３と対向電極８のパターン形状は、一般的な蒸着法、スパッタリング法により透明導電膜であるインジウムスズ酸化物（ＩＴＯ）を成膜し、この透明導電膜をフォトリソ・エッチング工程を経て形成される。
【００２８】
ここで、前述した多層電極構造１０ａを構成する、第１の透明電極２には低抵抗の透明導電膜を、高抵抗膜３には第１の透明電極２に対して５０倍〜１００倍程度の抵抗値を持つ透明導電膜を、第２の透明電極４は高抵抗膜３に対して１／１０程度以下の抵抗値を有する透明導電膜を用いる。つまり、本実施例においては、多層電極構造１０ａを成す透明電極は、第１の基台１側から、順に低抵抗／高抵抗／中抵抗の抵抗値を有する複数枚の透明導電膜で構成している。なお、これらの透明電極は、前述した様にＩＴＯを用いて形成しているが、一般的に透明電極として用いられるＩＴＯ膜の抵抗値は、その膜厚や膜質を代えることにより、１０２Ωｃｍ／□〜１０６Ωｃｍ／□程度の膜を容易に形成できるので、上記条件を満たす抵抗膜を選択して形成することは容易である。
【００２９】
次に、本発明の光学位相補正素子１１０ｂを構成する、第１、第２の透明電極２，４に採用可能であるパターン形状および電極の分割数について説明をする。図２、図３、図４は本発明の光学位相補正素子１１０ｂで使用可能な電極パターン形状例を示しており、図２（ａ）は、ラジアル方向のコマ収差補正パターン形状を、図２（ｂ）はタンジェンシャル方向のコマ収差補正パターン形状を示している。また、図３は球面収差補正パターン形状を示している。さらに、図４は非点収差補正パターン形状を示している。
【００３０】
図２（ａ）に示す様に、ラジアル方向のコマ収差を補正するためのパターン形状は、電極２１ａ〜２４ａのそれぞれが別々の４つの電極パターンで形成されており、各電極に所定の電圧を印加して、目的のラジアル方向の波面収差を補正する。また、図２（ｂ）に示すタンジェンシャル方向のコマ収差パターンを成す電極２１ｂ〜２４ｂについても同様である。この収差補正機能は、背景技術で示したのと同様であるので、ここでの収差補正機能についての説明は割愛する。
【００３１】
図３に示す球面収差補正パターンは、本図面においては面内で電極３１〜３５の５つの電極に分割されており、図４に示す非点収差補正パターンは、本図面においては電極４１〜４９の９つの電極に分割されている。
【００３２】
この図２〜図４に示した収差補正パターンを任意に選択して、前述した第１、第２の透明電極２、４に各パターンを形成する。
【００３３】
次に、この光学位相補正素子１１０ｂの波面収差の光学位相補正について図５及び図６
を用いて説明する。図５は第１の透明電極２の各電極２ａ〜２ｃにＶ１−１、Ｖ１−２、Ｖ１−３の各電圧を対向電極８との間に印加した状態を示す模式図である。なおこの状態で、第２の透明電極４の各電極端子はオープン状態としている。また、本実施例では、説明を簡略化するために各透明電極内の電極数を３つの場合を例にとって説明を行うが、波面収差の位相補正を行うにあたって、上述した様に、透明電極を構成する電極の数は目的の補正パターンによって異なるが、動作原理は同じであることに留意されたい。
【００３４】
第１の透明電極２として個々に分割された各電極２ａ〜２ｃ面内の電位は、図５に示す様に、対向電極８に対して電圧Ｖ１−１＜Ｖ１−２＜Ｖ１−３の関係を有する電圧Ｖ１−１、Ｖ１−２、Ｖ１−３が３つの電極２ａ〜２ｃにそれぞれ給電されて形成される。この時、第１の透明電極２を構成する透明導電膜の抵抗が低く設定されている為に、分割された電極２ａ〜２ｃ内での電位はほぼ均一となる。
【００３５】
この状態で、高抵抗膜３はベタ電極で形成されているので、この高抵抗膜３上での電位パターンは、第１の透明電極２を構成する電極のパターンエッジ部分と、それに隣接する電極のパターンエッジ間で、電位勾配を持つ電位パターンとなる。つまり、図中の電極２ａと電極２ｂとの間で電圧（Ｖ１−２〜Ｖ１−１）の傾斜電位勾配が、電極２ｂと電極２ｃとの間で電圧（Ｖ１−３〜Ｖ１−２）の傾斜電位勾配がそれぞれ形成され、他の電極２ａ〜２ｃ上の高抵抗膜３は、ほぼ第１の透明電極２として形成された各電極２ａ〜２ｃと同じ電位パターンとなる。
【００３６】
更に、中抵抗の透明電極で形成された第２の透明電極４へも、高抵抗膜３からの導通により電位パターン形状の伝達が行われる。第２の透明電極４上での電位パターンは、第２の透明電極４上での面内方向の導通により、前述の高抵抗膜３上の電位パターンから更に前述したパターンエッジ部分の傾斜電位勾配が緩やかになった形で第２の透明電極４上に電位が形成される。
【００３７】
尚、これらのエッジ部分で前述した様に傾斜電位勾配の緩和が生じる為、第１の透明電極２の形状の電極隙間部分に傾斜電位勾配を持った形の電位パターンを、第２の透明電極４上に生成することが可能となる。これにより、電圧Ｖ１−１、Ｖ２−１、Ｖ３−１に比例した電界を液晶層６に印加することができるようになり、液晶に掛かる実効的な電界強度をＥ１−１＞Ｅ２−１＞Ｅ３−１とすることができる。
【００３８】
更に、上記のパターンエッジ部分での傾斜電位勾配部は、上述した様に、パターン形状に与える影響を小さくすることができるとともに、横方向に連続した電位が得られるようになる。その為、第１の透明電極２の形状とほぼ同じ形の電位パターンで、且つ電極２ａ〜２ｃの隙間部分も勾配をもった傾斜電位となる。また、この構成では、基板上に形成される電極２ａ〜２ｃの電極間スペースが、光抵抗膜３または第２の透明電極４によりオーバーラップされるため、従来の構成で問題となっていた透明電極の有無に起因する屈折率の変動を基板面内でほぼ均一とすることが出来る。
【００３９】
それゆえ、従来の光学位相補正素子１１０ａにおける第１、または第２の透明電極２、１２を単独で使用したときに問題となる、パターン間の隙間に起因するレーザー光量の損失や、その箇所での回折散乱光の影響を低減することが出来るようになる。したがって、本形態の光学位相補正素子１１０ｂを光ヘッド装置に搭載すれば、ＤＶＤを照射するレーザー光と干渉して発生するノイズ光や、実効透過率強度の低下等の問題が解消さる。
【００４０】
以上のように、第２の透明電極４下に形成された第１の透明電極２に準じた電位パターンが、液晶に実効的な電界として印加される為、この状態では第１の透明電極２のみを有する一般的な液晶光学素子と同様な動作を行うことが出来るとともに、隙間部分によるロ
スや回折の影響も低減した動作を行うことが出来る様になる。
【００４１】
次に、図６を用いて本発明の光学位相補正素子１１０ｂの第２の透明電極４による動作を説明する。図６は、第２の透明電極４内の電極４ａ〜４ｃに電圧Ｖ２−１、Ｖ２−２、Ｖ２−３の各電圧を対向電極８との間に印加した状態を示す模式図である。
【００４２】
電極４ａ〜４ｃ内の電位は、ベタ電極パターンで形成された高抵抗膜３に流れる電流により、第２の透明電極４を構成する隣接する各電極４ａ〜４ｃのパターンエッジ部で、若干の傾斜電位勾配を持つことになるが、高抵抗膜３に対して第２の透明電極４の抵抗値が低い為、第１の透明電極２と高抵抗膜３との関係で説明したと同様に、エッジ部の傾斜電位勾配部分は微小となる。また、この傾斜電位勾配部分はなだらかな変化となるため、前述の第１の透明電極２による駆動の説明と同様に、分離された各電極４ａ〜４ｃで問題となる回折による散乱の影響を少なくする効果もある。
【００４３】
この状態では、第１の透明電極２の時と同様に、第２の透明電極４のみの一般的な液晶光学素子と同様な動作を行うことが出来るとともに、電極４ａ〜４ｃの隙間部分によるレーザー光量の損失や、その箇所での回折散乱光の影響を低減した動作を行うことが出来るようになる。
【００４４】
この様に、印加する電圧Ｖ２−１、Ｖ２−２、Ｖ２−３をＶ２−１＞Ｖ２−２＞Ｖ２−３とすれば、液晶層６に印加される実効的な電界強度は電圧に比例したＥ２−１＞Ｅ２−２＞Ｅ２−３となる。なお、この状態で本発明の光学位相補正素子１１０ｂを使用する場合は、第１の透明電極２に対する駆動はオープン、又はＯＦＦとするのが一般的であるが、第２の透明電極４を駆動状態のまま、第１の透明電極２を駆動しても、各透明電極間には高抵抗膜３が存在するため、両パターンを同時に駆動することも出来る。
【００４５】
また、各電極２ａ〜２ｃ、４ａ〜４ｃの駆動は、通常のデジタル回路出力で駆動することが可能であり、本実施例で記載のオープン又はＯＦＦの状態は、３ステート出力のハイインピーダンス状態で実現可能である。
【００４６】
以上のように、本実施例の光学位相補正素子１１０ｂは、２種の電極パターンを用途に応じて切り替えて使用することが可能であり、異なる波面収差を個別に補正制御、または異なるパターンを同時に制御することが出来るようになる。
【００４７】
以上の説明の如く、従来においては、光学位相補正素子１１０ａを光ヘッド装置に搭載する場合２つ以上の光学位相補正素子１１０ａが必要であったものが、１つの光学位相補正素子１１０ｂで足りることとなる。したがって、本発明の光学位相補正素子１１０ｂを光ヘッド装置に搭載すれば、多種の収差補正を個別にまたは同時に補正することが可能な光ヘッド装置でありながら、従来とほぼ同等の装置サイズに留めることが出来るようになる。
【実施例２】
【００４８】
本実施例では、実施例１で説明した多層電極構造１０ａを構成する第１、第２の透明電極２、４の２つの収差補正パターンを、時分割駆動により合成して同時に行う光学位相補正動作について説明する。
【００４９】
本実施形態で使用する光学位相補正素子１１０ｂの構成は、実施例１と同じであるが、下記に示す駆動方法を採用することにより積層された第１、第２の透明電極２，４による液晶層６の合成動作を可能とする。
【００５０】
図７を用いて本実施形態の駆動波形について説明する。なお、本図におけるＴ１、Ｔ２、Ｔ３、Ｔ４、Ｔは各電極に駆動電圧を印加する駆動期間を示し、Ｖ１−１、Ｖ１−２、Ｖ１−３は第１の透明電極２を構成する３つの電極２ａ〜２ｃに印加される電圧を示し、Ｖ２−１、Ｖ２−２、Ｖ２−３は第２の透明電極４を構成する３つの電極４ａ〜４ｃに印加される電圧を示している。
【００５１】
本図面内の駆動期間Ｔ１では、第１の透明電極２に電圧を印加し、第２の透明電極４の駆動はＯＦＦ（オープン）としている。つまり、この駆動期間Ｔ１では、第１の透明電極２のみが有効に動作する。
【００５２】
駆動期間Ｔ３は、第２の透明電極４に電圧を印加している期間を示しており、この期間では第１の透明電極２の駆動はＯＦＦ（オープン）とする。つまりこの期間では、第２の透明電極４のみが有効に動作する。
【００５３】
尚、駆動期間Ｔ２及びＴ４は休止期間を示しており、この期間は実用上は無くても問題は無い。又Ｔは駆動期間Ｔ１、Ｔ２、Ｔ３、Ｔ４の合計が駆動周期となり、この駆動周期で本図面に示す駆動が繰り返し行われて光学位相補正素子１１０ｂを構成する液晶層６に電界を与える。
【００５４】
ここで、光学位相補正素子１１０ｂ内の液晶層６の応答速度に対して、駆動周期Ｔを十分に短くすると、周期Ｔ内での液晶に印加される電界の実効値の平均で、液晶を駆動する状態となり、第１の透明電極２と第２の透明電極４の合成動作が可能となる。
【００５５】
実際の液晶の応答時間は、数十[ｍＳ]から数百［ｍＳ］程度であり、周期Ｔを［ｍＳ］オーダー以下として繰り返し周波数を［ＫＨｚ］オーダーとし、さらに各駆動期間Ｔ１、Ｔ２内に液晶に印加する繰り返し周波数を１０［ＫＨｚ］〜数１０［ＫＨｚ］オーダー以上にすることにより、本実施例で示す駆動が可能となる。
【００５６】
以上のように、本実施例で示す駆動方式を用いることにより、片面に多層化された複数の電極パターンを、液晶に対して同時に作用させることが出来、同時に複数のパターンの位相補正動作を行うことが可能となるのである。
【実施例３】
【００５７】
実施例１、２で示した光学位相補正素子１１０ｂは、第１の基台１に多層電極構造１０ａを有し、対向する第２の基台９は単層の対向電極８を有する構造を示したが、本実施例の光学位相補正素子１１０ｃは、第１の基台１と第２の基台９の両面ともに多層電極構造１０ａ，１０ｂを有する点に先の実施例と相違している。図８に本実施例の両面に収差補正用の電極パターンを２枚づつ配した光学位相補正素子１１０ｃの構成例を示す。
【００５８】
図８中の第１の基台１上に配した多層電極構造１０ａを含む符号１〜６までの各部材は、実施例１で説明した構成例（図１参照）と同等である。また、図中の第２の基台上には、中抵抗膜で形成された第３の透明電極２２、ベタ電極パターンで形成された高抵抗膜２３、低抵抗膜で形成された第４の透明電極２４からなる多層電極構造１０ｂが形成されている。
【００５９】
この構成と、実施例２に示した駆動方法における駆動周期に、第３、第４の透明電極２２，２４に相当する駆動期間を更に設ける駆動方法を採用することで、第１、第２の透明電極２、４を単独または複合で使用出来、また第３、第４の透明電極２２、２４も同様に単独又は複合で使用することが可能となり、１つの光学位相補正素子１１０ｃでありながら、最大４種のパターンの個別又は同時複合動作が可能となる。
【００６０】
なお、本実施例で示した光学位相補正素子１１０ｃを構成する多層電極構造１０ａ，１０ｂの電極パターンを更に積層した構成としても同様に動作させることが出来ることは言うまでもない。
【図面の簡単な説明】
【００６１】
【図１】本発明の光学位相補正素子の構成例を示す模式図である。（実施例１）
【図２】本発明の光学位相補正素子を構成するコマ収差補正のための透明電極パターンを示す平面図である。（実施例１）
【図３】本発明の光学位相補正素子を構成する球面収差補正のための透明電極パターンを示す平面図である。（実施例１）
【図４】本発明の光学位相補正素子を構成する非点収差補正のための透明電極パターンを示す平面図である。（実施例１）
【図５】本発明の光学位相補正素子を構成する第１の透明電極への給電した際の作用を説明するための図面である。（実施例１）
【図６】本発明の光学位相補正素子を構成する第２の透明電極への給電した際の作用を説明するための図面である。（実施例１）
【図７】本発明の光学位相補正素子の駆動方法を説明するための図面である。
【図８】本発明の光学位相補正素子の他の構成例を示す模式図である。（実施例２）
【図９】従来の光ヘッド装置の構成を示す模式図である。
【図１０】従来の光学位相補正素子の構成を示す模式図である。
【図１１】従来の光学位相補正素子の第１の透明電極を構成する各電極間のスペース部におけるレーザー光の回折、散乱現象を説明するための図面である。
【符号の説明】
【００６２】
１  第１の基台
２  第１の透明電極
３、２３  高抵抗膜
４  第２の透明電極
６  液晶層
８  対向電極
９  第２の基台  
１０  多層電極構造
２２  第４の透明電極
２４  第３の透明電極
１０１  レーザー光源
１０２  コリメートレンズ
１０３  偏光ビームスプリッター
１０４  λ／４波長板
１０５  対物レンズ
１０６  ディスク
１０７  集光レンズ
１０８  受光器
１１０  光学位相補正素子
２１〜２４、３１〜３５、４１〜４９  電極
【図１】
2005275185.tif 000003
【図２】
2005275185.tif 000004
【図３】
2005275185.tif 000005
【図４】
2005275185.tif 000006
【図５】
2005275185.tif 000007
【図６】
2005275185.tif 000008
【図７】
2005275185.tif 000009
【図８】
2005275185.tif 000010
【図９】
2005275185.tif 000011
【図１０】
2005275185.tif 000012
【図１１】
2005275185.tif 000013